(57)【要約】【課題】２画面表示における視認性や操作性のよい表示装置を提供する。【解決手段】本発明のテレビ受像機１０１は、スマートフォン２０１の表示画面の配置方向を判定し、判定した配置方向に対応付けられた画面配置情報に応じて、テレビ画面１０２とスマホ画面１０３とを配置して２画面表示のための２画面表示信号を生成する。【選択図】図１
2014215318.tif 000002
【特許請求の範囲】
【請求項１】
第１の映像信号から作成された第１映像を表示した第１表示画面と、外部機器から取得した第２の映像信号から作成された第２映像を表示した第２表示画面との２画面表示を行う表示装置において、
上記外部機器で上記第２映像が表示されている表示画面の配置方向毎に、上記２画面表示時の上記第１表示画面と上記第２表示画面との配置関係を示す画面配置情報があらかじめ設定され、上記画面配置情報に応じて、上記第１表示画面と上記第２表示画面とを配置して上記２画面表示を行うための２画面表示信号を生成する２画面表示信号生成部と、
上記外部機器で上記第２映像が表示されている表示画面の配置方向を取得する配置方向取得部とを備え、
上記２画面表示信号生成部は、
上記配置方向取得部によって取得された配置方向に対応付けられた上記画面配置情報に応じて、上記第１表示画面と第２表示画面とを配置して２画面表示信号を生成することを特徴とする表示装置。
【請求項２】
上記画面配置情報は、上記第２映像が上記外部機器において縦長画面で表示されている場合の上記第２表示画面を縦の配置方向とし、上記第２映像が上記外部機器において横長画面で表示されている場合の上記第２表示画面を横の配置方向とするように設定されていることを特徴とする請求項１に記載の表示装置。
【請求項３】
上記画面配置情報は、少なくとも、
上記配置方向が縦の配置方向である場合、外部機器の第２映像を表示する第２表示画面を、第１表示画面の左右何れかに並べて配置する第１配置情報、
上記配置方向が横の配置方向である場合、外部機器の第２映像を表示する第２表示画面を、第１表示画面に並べて、且つ当該第１表示画面よりも大きくなるように配置する第２配置情報を含み、
上記２画面表示信号生成部は、
上記配置方向取得部によって取得された配置方向に対応付けられた上記第１配置情報または第２配置情報に応じて、上記第１表示画面と第２表示画面とを配置した２画面表示信号を生成することを特徴とする請求項２に記載の表示装置。
【請求項４】
上記第１配置情報に応じて配置される第２表示画面は、外部機器で表示されている第２映像の表示画面の解像度に応じて、表示位置及びサイズが設定されていることを特徴とする請求項３に記載の表示装置。
【請求項５】
請求項１〜４の何れか１項に記載の表示装置と、
上記表示装置に対して、第２映像の表示中の表示画面の配置方向を示す表示配置情報を送信する外部機器とを備えることを特徴とする表示システム。
【請求項６】
請求項１から４のいずれか１項に記載の表示装置としてコンピュータを機能させるための表示制御プログラムであって、コンピュータを上記各部として機能させるための表示制御プログラム。
【請求項７】
請求項６に記載の表示制御プログラムを記録したコンピュータ読み取り可能な記録媒体。
【発明の詳細な説明】
【技術分野】
【０００１】
本発明は、２画面表示可能な表示装置等に関する。
【背景技術】
【０００２】
従来、携帯電話機、スマートフォンやパソコン等の情報端末装置の映像を、テレビ受像機などの表示装置に映し出すことが行われている。
【０００３】
例えば、特許文献１には、テレビの映像を映し出した画面（テレビ画面）と外部機器の映像を映し出した画面（外部入力画面）との２画面表示を行う表示装置が開示されている。この２画面表示では、テレビ画面の配置方向（画面の縦・横向き）を変えずに、外部入力画面の配置方向を、当該外部機器の姿勢情報に応じて切り換えている。例えば、外部機器の姿勢情報が横向きを示す情報であれば、外部入力画面を横向きに回転させ、外部機器の姿勢情報が縦向きを示す情報であれば、外部入力画面を縦向きに回転させる。
【０００４】
これにより、ユーザは、外部機器の姿勢に応じて出力される表示画面が変更される場合であっても、外部機器の姿勢を反映させた外部入力画面にすることができるため、２画面表示時における外部入力画面が見易くなる。
【先行技術文献】
【特許文献】
【０００５】
【特許文献１】特許第４８１８４５４号公報（２０１１年９月９日登録）
【発明の概要】
【発明が解決しようとする課題】
【０００６】
ところで、特許文献１に開示された表示装置では、２画面表示時に、外部入力画面が外部機器の姿勢を反映させて縦方向または横方向に回転するので、外部入力画面は見易い。
【０００７】
しかしながら、特許文献１に開示された表示装置では、２画面表示において、外部入力画面は回転されるものの、テレビ画面と外部入力画面との配置関係が変化しないため、外部入力画面に表示される内容（例えばマップ等の視認性を向上させるために拡大表示が必要な画像）によっては、表示された内容が見難く、視認性が悪くなる虞がある。
【０００８】
本発明は、上記の課題に鑑みなされたものであって、その目的は、外部機器の姿勢に応じて、２画面表示時の各表示画面の配置を適切に切り換えることで、２画面表示における視認性や操作性を向上させることができる表示装置等を提供することにある。
【課題を解決するための手段】
【０００９】
上記の課題を解決するために、本発明の一態様に係る表示装置は、第１の映像信号を表示した第１表示画面と、第２の映像信号を表示する外部機器から取得した当該第２の映像信号を表示した第２表示画面の２画面表示を行う表示装置において、上記２画面表示時の上記第１表示画面と第２表示画面との配置関係を示す画面配置情報に応じて、上記２画面表示を行うための２画面表示信号を生成する２画面表示信号生成部と、上記外部機器で表示されている第２の映像信号の表示画面の配置方向を示す表示配置情報を取得する表示配置情報取得部と、上記表示配置情報取得部によって取得された表示配置情報から、上記配置方向を判定する配置方向判定部とを備え、上記２画面表示信号生成部は、上記配置方向判定部によって判定された配置方向に対応付けられた上記画面配置情報に応じて、上記第１表示画面と第２表示画面とを配置した２画面表示信号を生成することを特徴としている。
【発明の効果】
【００１０】
本発明の一態様によれば、外部機器の姿勢に応じて、２画面表示時の第１表示画面と第２表示画面の配置を適切に切り換えることで、２画面表示における視認性や操作性を向上させることができるという顕著な効果を奏する。
【図面の簡単な説明】
【００１１】
【図１】本発明の実施形態１に係る表示システムにおいて、スマートフォンの表示画面の配置方向の切り換えに伴う、テレビ受像機における２画面表示の画面配置関係の遷移を説明する図である。
【図２】図１に示す表示システムの概略構成ブロック図である。
【図３】図２に示す表示システムのテレビ受像機に含まれる２画面コントロール部の概略構成ブロック図である。
【図４】テレビ受像機における２画面表示の一パターンを示す図である。
【図５】テレビ受像機における２画面表示の他のパターンを示す図である。
【図６】テレビ受像機における２画面表示のさらに他のパターンを示す図である。
【図７】図１に示す表示システムにおけるテレビ受像機の表示画面の遷移の一例を説明する図である。
【図８】図７に示すテレビ受像機の表示画面の遷移の処理の流れを示すフローチャートである。
【図９】図１に示す表示システムにおけるテレビ受像機の表示画面の遷移の他の例を説明する図である。
【図１０】スマートフォンの画面の切り出しを自動で行う場合の説明図である。
【図１１】スマートフォンの画面の切り出しを手動で行う場合の説明図である。
【図１２】図２に示す表示システムのテレビ受像機に含まれる２画面コントロール部の他の概略構成ブロック図である。
【発明を実施するための形態】
【００１２】
〔実施形態１〕
本発明の一実施の形態について説明すれば、以下の通りである。なお、本実施形態では、本発明の表示システムを構成する外部機器としてスマートフォン、表示装置としてテレビ受像機を例に説明する。
【００１３】
（表示システムの概略説明）
本実施形態に係る表示システムは、図１の（ａ）（ｂ）に示すように、テレビ受像機１０１の表示画面１０１ａに、当該テレビ受像機１０１が取得したディスプレイ信号（テレビ信号：第１の映像信号）から作成される映像（第１映像）を表示するためのテレビ画面１０２（第１表示画面）と、スマートフォン２０１から送信された映像信号（第２の映像信号）から作成される映像（第２映像）を表示するためのスマホ画面１０３（第２表示画面）との２画面表示を可能にする表示システムである。
【００１４】
また、上記表示システムは、スマートフォン２０１の表示画面の配置方向（表示画面の縦向き・横向き）に合わせて、テレビ受像機１０１のスマホ画面１０３の表示サイズ、表示位置、表示の向き等の表示形態が変わるようになっている。ここで、スマートフォン２０１の表示画面の配置方向とは、スマートフォン２０１で表示されている第２映像の表示画面の配置方向であり、上記第２映像が縦長で表示画面に表示されている場合を縦の配置方向、上記第２映像が横長で表示画面に表示されている場合を横の配置方向とする。例えば図１の（ａ）に示すように、スマートフォン２０１の表示画面が縦向き、すなわち、表示画面の配置方向が縦の配置方向であれば、テレビ受像機１０１のスマホ画面１０３も同じ向きとなる。また、図１の（ｂ）に示すように、スマートフォン２０１の表示画面が横向き、すなわち、表示画面の配置方向が横の配置方向であれば、テレビ受像機１０１のスマホ画面１０３も同じ横向きとなる。さらに、図１の（ａ）（ｂ）に示すスマホ画面１０３は、表示の向きがスマートフォン２０１の表示画面の向きに連動して切り換わるだけでなく、表示サイズや表示位置も変わる。
【００１５】
なお、上記スマートフォン２０１の表示画面の配置方向による上記テレビ受像機１０１のスマホ画面１０３の表示形態の変化（遷移）についての詳細は後述する。
【００１６】
（テレビ受像機１０１）
上記テレビ受像機１０１は、図２に示すように、ディスプレイ信号取得部１１１、２画面コントロール部１１２、ディスプレイ１１３、Ｗｉ−Ｆｉ受信部１１４を含んでいる。なお、図２に示すテレビ受像機１０１では、本願発明に必要な構成要素のみを記載し、放送波を受信して映像信号・音声信号に変換するための受信部や、音声信号を出力するめのスピーカなどのテレビ受像機として当然備えている構成要素については省略している。
【００１７】
上記ディスプレイ信号取得部１１１は、上述したテレビ受像機１０１のテレビ画面１０２に表示させる映像信号を含むディスプレイ信号（第１の映像信号）を、放送波や外部機器等から取得するものである。取得したディスプレイ信号は、２画面コントロール部１１２に送る。
【００１８】
上記２画面コントロール部１１２は、上記ディスプレイ信号から作成される第１映像を表示するためのテレビ画面１０２を作成し、上記Ｗｉ−Ｆｉ受信部１１４を経由して取得したスマートフォン２０１からの映像信号からスマホ画面１０３を作成し、これらテレビ画面１０２とスマホ画面１０３の配置関係を、スマートフォン２０１の表示画面の配置方向を判定した判定信号に応じて決定し、２画面表示情報を生成して、ディスプレイ１１３に送る。この２画面コントロール部１１２の詳細については、後述する。
【００１９】
上記ディスプレイ１１３は、テレビ受像機１０１の表示部を構成している。このディスプレイ１１３としては、例えば液晶表示装置、有機ＥＬ（electroluminescence）装置等のフラットディスプレイパネルからなる表示装置が好適であるが、これに限定されるものではなく、映像が表示できる装置であれば、プロジェクターなどの投影装置であてもよく、また他の装置であってもよい。
【００２０】
上記Ｗｉ−Ｆｉ受信部１１４は、スマートフォン２０１から送信される映像信号及び制御信号を受信し、受信した映像信号及び制御信号を上記２画面コントロール部１１２に送る。
【００２１】
（スマートフォン２０１）
上記スマートフォン２０１は、図２に示すように、コンテンツ取得部２１１、端末表示配置情報取得部２１２、端末映像信号生成部２１３、Ｗｉ−Ｆｉ送信部２１４を含んでいる。なお、図２に示すスマートフォン２０１では、本願発明に必要な構成要素のみを記載し、通話を行うための機能、映像信号を出力するためのディスプレイ、音声信号を出力するめのスピーカなどのスマートフォン２０１として当然備えている構成要素については省略している。
【００２２】
上記コンテンツ取得部２１１は、外部機器等から映画、音楽等のコンテンツ情報を取得し、後段の端末映像信号生成部２１３に送る。
【００２３】
上記端末表示配置情報取得部２１２は、スマートフォン２０１における表示画面の向き（縦向き・横向き）を示す端末表示配置情報を取得し、後段の端末映像信号生成部２１３及びＷｉ−Ｆｉ送信部２１４に送る。
【００２４】
上記端末映像信号生成部２１３は、取得したコンテンツ情報と、端末表示配置情報とから、スマートフォン２０１における表示画面に表示する映像信号（端末映像信号）を生成する。生成した映像信号は第２の映像信号として、Ｗｉ−Ｆｉ送信部２１４を経由して、テレビ受像機１０１に送信される。
【００２５】
上記Ｗｉ−Ｆｉ送信部２１４は、端末映像信号生成部２１３からの第２の映像信号だけでなく、上述した端末表示配置情報取得部２１２からの端末表示配置情報をテレビ受像機１０１に送るようになっている。
【００２６】
ここで、上記表示システムでは、スマートフォン２０１に表示されている第２映像を作成するための第２の映像信号を、上述のように、Ｗｉ−Ｆｉ送信部２１４によって無線通信でテレビ受像機１０１に送信するようになっている。無線通信の方式としては、既に知られている多くの方式を用いることができる。近年、携帯電話機、スマートフォン、タブレットやパソコンの映像音声を無線通信でテレビ受像機などに投影するための技術仕様として、Ｍｉｒａｃａｓｔが制定されており、スマートフォン２０１から無線送信した映像音声を、テレビ受像機１０１において簡単に表示できる仕組みが構築されている。
【００２７】
なお、テレビ受像機１０１とスマートフォン２０１との接続は無線に限定されず、有線で接続されていてもよい。
【００２８】
（２画面コントロール部１１２）
上記２画面コントロール部１１２は、図３に示すように、端末表示配置情報取得部１２１、端末表示配置状態判定部１２２、２画面生成処理部（２画面表示信号生成部）１２３を含んでいる。この図３は、Ｍｉｒａｃａｓｔ経路により、スマートフォン２０１からの映像信号（端末映像信号）を２画面生成処理部１２３が取得する２画面コントロール部１１２を図示したものである。本発明は、上述したように、テレビ受像機１０１とスマートフォン２０１とは有線で接続であってもよいので、例えば図１２に示すように、ＨＤＭＩ（登録商標）経路により、スマートフォン２０１からのディスプレイ信号（端末入力信号）を２画面生成処理部１２３が取得する２画面コントロール部１１２であってもよい。
【００２９】
上記端末表示配置情報取得部１２１は、スマートフォン２０１から送信された端末表示配置情報を取得し、後段の端末表示配置状態判定部１２２に送る。
【００３０】
上記端末表示配置状態判定部１２２は、送られた端末表示配置情報から、当該端末表示配置情報の送信元であるスマートフォン２０１の表示画面の配置方向を、端末表示配置状態として判定し、２画面生成処理部１２３に送る。
【００３１】
よって、上記端末表示配置情報取得部１２１と端末表示配置状態判定部１２２とで、スマートフォン２０１で第２映像が表示されている表示画面の配置方向を取得する配置方向取得部として機能している。
【００３２】
上記２画面生成処理部１２３は、上記端末表示配置状態判定部１２２からの端末表示配置状態を示す信号から、当該端末表示配置状態に応じた２画面表示に対応するように、ディスプレイ信号（ディスプレイ信号取得部１１１が取得したディスプレイ信号）から作成される第１映像を表示するためのテレビ画面１０２を生成し、端末映像信号（スマートフォン２０１から送信された映像信号）から作成される第２映像を表示するためのスマホ画面１０３を生成し、生成したテレビ画面１０２とスマホ画面１０３で構成される２画面表示のための２画面表示信号をディスプレイ１１３に送る。
【００３３】
ここで、端末表示配置状態に応じた２画面表示には、（１）縦スクリーン、（２）横スクリーン（ＰｏｕｔＰ）、（３）横スクリーン（ＰｉｎＰ）の３通りある。
【００３４】
（縦スクリーン）
縦スクリーンとは、図４に示すように、テレビ受像機１０１の表示画面１０１ａにおいて、左側にテレビ画面１０２、右側にスマホ画面１０３を表示し、右側のスマホ画面１０３の表示領域では縦縦横比を１画面表示時の縦横比と変えずに、縦サイズいっぱいにスマホ画面１０３を表示する２画面表示として定義する。この場合のスマホ画面１０３には、スマートフォン２０１の表示画面が縦向き状態の画像が表示される。
【００３５】
ここで、スマホ画面１０３の最大サイズは、横の長さを表示画面１０１ａの横の長さの半分とする。また、スマホ画面１０３の最小サイズは、横の長さを表示画面１０１ａの横の長さの８分の１とする。
【００３６】
縦スクリーンにおいて、例えばテレビ画面１０２は、デジタル放送／ＵＳＢ−ＨＤＤ再生した映像、スマホ画面１０３はＨＤＭＩ／Ｍｉｒａｃａｓｔ等の通信方式により取得した映像（ホーム画面）を表示する。
【００３７】
（横スクリーン（ＰｏｕｔＰ））
横スクリーン（ＰｏｕｔＰ）とは、図５に示すように、スマホ画面１０３を右側で大きく表示し、テレビ画面１０２を左側で小さく表示したＰｏｕｔＰ（ピクチャ・アウト・ピクチャ）の２画面表示として定義する。ここで、２画面表示は、各表示画面のサイズ、表示位置を予め設定した位置に固定する。本実施形態では、テレビ画面１０２のサイズをスマートフォン２０１の表示画面サイズ（例えば５インチ）相当とする。
【００３８】
横スクリーン（ＰｏｕｔＰ）において、例えばテレビ画面１０２は、デジタル放送／ＵＳＢ−ＨＤＤ再生した映像、スマホ画面１０３はＨＤＭＩ／Ｍｉｒａｃａｓｔ等の通信方式により取得した映像を表示する。取得する映像としては、比較的大きなサイズで確認が必要な地図などがある。
【００３９】
（横スクリーン（ＰｉｎＰ））
横スクリーン（ＰｉｎＰ）とは、図６に示すように、スマホ画面１０３をテレビ受像機１０１の表示画面１０１ａの全画面に表示し、テレビ画面１０２をスマホ画面１０３よりも小さく、且つ当該スマホ画面１０３に重なるように表示したＰｉｎＰ（ピクチャ・イン・ピクチャ）の２画面表示として定義する。ここで、テレビ画面１０２の最大最小サイズは、通常、ＰｉｎＰの２画面表示する際に規定されたサイズとする。例えば、全画面に対して、１／４〜１／８（面積比では１／１６〜１／６４）とする。
【００４０】
横スクリーン（ＰｉｎＰ）において、例えばテレビ画面１０２は、デジタル放送／ＵＳＢ−ＨＤＤ再生した映像、スマホ画面１０３はＨＤＭＩ／Ｍｉｒａｃａｓｔ等の通信方式により取得した映像（地図）を表示する。
【００４１】
ここで、図４に示す縦スクリーンは、スマートフォン２０１の表示画面の配置方向が縦方向であるときの表示状態を示し、図５に示す横スクリーン（ＰｏｕｔＰ）及び図６に示す横スクリーン（ＰｉｎＰ）は、スマートフォン２０１の表示画面の配置方向が横方向であるときの表示状態を示す。この表示状態の遷移について以下に説明する。なお、表示状態の遷移には、スマートフォン２０１の表示画面の配置方向を検出して、自動で行う表示状態の遷移と、スマートフォン２０１の表示画面の配置方向に関わらずに、ユーザが手動で行う表示状態の遷移とがある。
【００４２】
（表示状態の遷移（自動））
自動で表示状態の遷移を行う場合、図７の（ａ）に示す表示画面１０１ａにおけるテレビ画面１０２の全画面表示状態時に、スマートフォン２０１の表示画面の向きを検知すると、検知した向きに応じて、図７の（ｂ）に示すように、縦スクリーンまたは横スクリーンによる２画面表示が行われる。
【００４３】
本実施形態では、表示状態を遷移させるために、スマートフォン２０１側に、スマートフォン２０１に表示している映像をテレビ受像機１０１で映し出すための「スマホスクリーン」ボタンを設け、このボタンを押下することで、スマートフォン２０１側の映像をテレビ受像機１０１に送信できる状態とする。さらに、スマートフォン２０１側から、テレビ受像機１０１の制御をするためのアプリケーション「ＩＰリモコン」を起動させる。つまり、「スマホスクリーン」ボタンを押下し、アプリケーション「ＩＰリモコン」を起動させた状態で、スマートフォン２０１の表示画面の向きを検知する。
【００４４】
スマートフォン２０１の表示画面の向きが縦方向であると検知した場合、図７の（ｂ）に示す縦スクリーンの２画面表示に切り換わり、スマートフォン２０１の表示画面の向きが横方向であると検知した場合、図７の（ｂ）に示す横スクリーン（ＰｏｕｔＰ）の２画面表示に切り換わる。本実施形態では、１画面表示状態から２画面表示状態に切り換わったときの初期の２画面表示状態は、横スクリーン（ＰｏｕｔＰ）とする。
【００４５】
ここで、図７の（ａ）に示す表示画面１０１ａの１画面表示状態から、図７の（ｂ）に示す表示画面１０１ａの２画面表示状態に切り換わった後、２画面表示状態は、スマートフォン２０１の表示画面の向きが切り換わると、それぞれに対応した２画面表示状態に切り換わる。例えば、２画面表示状態が縦スクリーンのときに、スマートフォン２０１の表示画面が縦方向から横方向に切り換わった場合、２画面表示様態が横スクリーン（ＰｏｕｔＰ）に切り換わる。逆に、２画面表示状態が横スクリーン（ＰｏｕｔＰ）のときに、スマートフォン２０１の表示画面が横方向から縦方向に切り換わった場合、２画面表示様態が縦スクリーンに切り換わる。
【００４６】
なお、本実施形態では、上述したように、スマートフォン２０１の表示画面の向きが横方向であると検知したときに、最初に設定される２画面表示状態は横スクリーン（ＰｏｕｔＰ）であるため、１画面表示状態から直接横スクリーン（ＰｉｎＰ）に切り換わらず、横スクリーン（ＰｏｕｔＰ）のときに、アプリケーションの一種であるツール「ＰｉｎＰ」を操作することで、横スクリーン（ＰｏｕｔＰ）から横スクリーン（ＰｉｎＰ）に切り換わる。逆の場合には、アプリケーションの一種であるツール「２画面」を操作することで、横スクリーン（ＰｉｎＰ）から横スクリーン（ＰｏｕｔＰ）に切り換わる。
【００４７】
なお、２画面表示状態が横スクリーン（ＰｉｎＰ）のときに、スマートフォン２０１の表示画面の向きが横方向から縦方向に切り換わると、２画面表示状態が縦スクリーンに切り換わる。
【００４８】
上記２画面表示状態の遷移処理の流れについて、図８に示すフローチャートを参照しながら以下に説明する。なお、この処理は、２画面コントロール部１１２にて行われる。
【００４９】
まず、端末表示配置情報取得部１２１は、スマートフォン２０１から送信された端末表示配置情報を取得する（Ｓ１）。
【００５０】
次に、端末表示配置状態判定部１２２は、Ｓ１にて取得した端末表示配置情報から、端末表示配置状態を判定する（Ｓ２）。ここでは、端末表示配置情報から、スマートフォン２０１の表示画面の配置方向が縦方向か、横方向かを判定する。
【００５１】
続いて、２画面生成処理部１２３は、上記Ｓ２において判定して結果が、配置方向が縦であるか否かを判定する（Ｓ３）。ここで、配置方向が縦、すなわちスマートフォン２０１の表示画面の向きが縦方向であると判定されたとき、Ｓ４に移行して、縦スクリーン表示用の表示信号を生成し、ディスプレイ１１３に出力し、Ｓ５において、縦スクリーン表示の終了が判定されるまで、縦スクリーン表示を維持する。
【００５２】
一方、Ｓ３において、配置方向が横、すなわちスマートフォン２０１の表示画面の向きが横方向であると判定されたとき、Ｓ６に移行して、横スクリーン表示用の表示信号を生成し、ディスプレイ１１３に出力し、Ｓ７において、横スクリーン表示の終了が判定されるまで、横スクリーン表示を維持する。
【００５３】
その後、縦スクリーン表示状態、あるいは横スクリーン表示状態で、２画面表示終了か否かが判定される（Ｓ８）。ここでは、スマートフォン２０１の「スマホスクリーン」ボタンが押下されたか否かが判定される。「スマホスクリーン」ボタンが押下されれば、２画面表示が終了される。
【００５４】
一方、Ｓ８において、「スマホスクリーン」ボタンが押下されなければ、再びＳ１に移行して、端末表示配置情報を取得する。つまり、「スマホスクリーン」ボタンが押下されるまで、端末表示配置情報を取得し続け、スマートフォン２０１の表示画面の向きが検知され、この検知結果に応じて、縦スクリーン表示または横スクリーン表示が維持される。
【００５５】
以上、表示状態の遷移を自動に行う例について説明したが、本発明は、これに限定されるものではなく、表示様態の遷移をユーザによる手動で行ってもよい。表示状態の遷移を手動で行う例について以下に説明する。
【００５６】
（表示状態の遷移（手動））
図９の（ａ）〜（ｃ）は、表示画面１０１ａにおける表示状態の遷移を手動で行う例について説明するための図である。
【００５７】
上述した自動による表示状態の遷移と同様に、手動であっても、図９の（ａ）に示すように、表示画面１０１ａで１画面表示状態から、２画面表示状態に遷移させるために、スマートフォン２０１側に、スマートフォン２０１に表示している映像をテレビ受像機１０１で映し出すための「スマホスクリーン」ボタンを設け、このボタンを押下することで、スマートフォン２０１側の映像をテレビ受像機１０１に送信できる状態とする。さらに、スマートフォン２０１側から、テレビ受像機１０１の制御をするためのアプリケーション「ＩＰリモコン」を起動させる。
【００５８】
図９（ａ）に示す表示状態で、「スマホスクリーン」ボタンが押下され、アプリケーション「ＩＰリモコン」が起動されると、図９の（ｂ）に示す表示画面に切り換わる。この表示画面では、表示画面１０１ａに全画面表示されたテレビ画面１０２に重畳して、切換メニュー画面１０４が表示される。この切換メニュー画面１０４は、図９の（ｃ）に示すように、スマホスクリーン切換メニューとして、４つの項目（１画面、２画面（縦スクリーン）、２画面（横スクリーン）、ＰｉｎＰ）が表示される。ユーザは、切換メニュー画面１０４に表示された各項目の何れかを選択することにより、選択された項目に対応する表示画面を表示画面１０１ａに表示させることができる。
【００５９】
ここで、切換メニュー画面１０４において、１画面以外の項目を選択すれば、図９（ｄ）に示す何れかの２画面表示が行われる。例えば、切換メニュー画面１０４にいて、２画面（縦スクリーン）を選択すれば、図９の（ｄ）に示す２画面（縦スクリーン）表示に切り換わり、切換メニュー画面１０４において、２画面（横スクリーン）を選択すれば、図９の（ｄ）に示す２画面（横スクリーン）表示に切り換わり、切換メニュー画面１０４において、ＰｉｎＰを選択すれば、図９の（ｄ）に示すＰｉｎＰ表示に切り換わる。
【００６０】
このように、手動で表示状態の遷移を行うことができるようにすることで、スマートフォン２０１側に表示画面の向きをテレビ受像機１０１側に通知できない場合、２画面表示を好みに合わせて選択したい場合などに好適となる。
【００６１】
上記のように、テレビ画面１０２とスマホ画面１０３とを表示画面１０１ａに表示した場合、表示画面１０１ａにおいて無駄な領域が発生しないようにすることが好ましい。例えば、テレビ受像機１０１は、スマートフォン２０１から当該スマートフォン２０１の解像度などの情報をもらい、もらった情報を基に画面構成（それぞれの画面の大きさなど）を自動で調整している。
【００６２】
しかしながら、スマートフォン２０１から上述した解像度などの情報が取得できない場合もある。このような場合、テレビ受像機１０１側が予めいくつかのスマホ画面１０３の切出し位置のパターンを持っていて、それを選択することで、スマホ画面１０３を適切なサイズで切り出したり、ユーザが手動でスマホ画面１０３の切出し位置を調整したりすることで更なる無駄な領域を省くことができる。この点について、下記の実施形態２で説明する。
【００６３】
〔実施形態２〕
本発明の他の実施形態について説明すれば以下の通りである。なお、前記実施形態１と同一の機能を有する部材については、同一の符号を付記し、詳細な説明は省略する。
【００６４】
〔画面の切り出し（自動）〕
スマホ画面１０３にはめ込む表示画面の切り出しを自動で行う場合の説明を行う。ここでは、図１０（ａ）に示すように、テレビ受像機１０１の表示画面１０１ａにスマホ画面１０３を表示させて、当該スマホ画面１０３にはめ込む表画面を切り出す処理を行う。
【００６５】
まず、図１０（ａ）に示すように、テレビ受像機１０１の表示画面１０１ａのほぼ中央に、スマホ画面１０３が表示され、当該表示画面１０１ａの右側には、切り出し用メニュー（スクリーン表示設定メニュー）１０５が表示される。ここで、スマホ画面１０３には、設定状態を示すための白枠１０３ａが表示され、切り出し用メニュー１０５には、予め設定された上記白枠１０３ａの大きさに対応した設定項目（スクリーン１〜７）が上下方向に表示されている。つまり、切り出し用メニュー１０５の設定項目を上下方向に移動すると、各設定項目に対応するように、白枠１０３ａのサイズなどが変更される。
【００６６】
例えば図１０の（ａ）では、スマホ画面１０３の白枠１０３ａは、切り出し用メニュー１０５の設定項目のうち、スクリーン１が設定された場合のサイズを示し、図１０の（ｂ）では、スマホ画面１０３の白枠１０３ａは、切り出し用メニュー１０５の設定項目のうち、スクリーン３が設定された場合のサイズを示している。ここでは、若干、図１０の（ｂ）に示す白枠１０３ａのほうが、図１０の（ａ）に示す白枠１０３ａよりも大きくなっている。
【００６７】
このように、切り出し用メニュー１０５の各項目を選択することで、スマホ画面１０３の白枠１０３ａのサイズが自動で切り換わるので、ユーザは、切り出し用メニュー１０５の各項目を設定するだけで、所望のサイズの白枠１０３ａを設定することができる。
【００６８】
なお、切り出し用メニュー１０５によって自動で設定されるスマホ画面１０３の白枠１０３ａのサイズに所望するサイズが無い場合、手動で設定することになる。この場合、切り出し用メニュー１０５のスクリーン手動の項目を選択する。
【００６９】
（画面の切り出し（手動））
図１１の（ａ）〜（ｄ）は、画面の切り出しを手動で行う場合の４辺それぞれの調整方法について説明している。
【００７０】
まず、図１０の（ａ）（ｂ）に示す切り出し用メニュー１０５の設定項目のうち、スクリーン手動が選択されると、図１１の（ａ）に示すスマホ画面１０３の白枠１０３ａにおける左端の辺（太線）を左右方向に調整するための画面が表示画面１０１ａに表示される。ユーザは、図１１の（ａ）に示す白枠１０３ａの左端の辺の位置を、スマートフォン２０１の表示画面に表示された左右方向を選択可能なボタンを操作することで、水平方向に移動させる。そして、所望する位置に左端の辺が移動したら、決定ボタンを選択する。
【００７１】
すると、図１１の（ｂ）に示すように、白枠１０３ａの上端の辺を上下方向に調整するための画面が表示画面１０１ａに表示される。ユーザは、図１１の（ｂ）に示す白枠１０３ａの上端の辺の位置を、スマートフォン２０１の表示画面に表示された上下方向を選択可能なボタンを操作することで、上下方向に移動させる。そして、所望する位置に上端の辺が移動したら、決定ボタンを選択する。
【００７２】
すると、図１１の（ｃ）に示すスマホ画面１０３の白枠１０３ａにおける右端の辺（太線）を左右方向に調整するための画面が表示画面１０１ａに表示される。ユーザは、図１１の（ｃ）に示す白枠１０３ａの右端の辺の位置を、スマートフォン２０１の表示画面に表示された左右方向を選択可能なボタンを操作することで、水平方向に移動させる。そして、所望する位置に右端の辺が移動したら、決定ボタンを選択する。
【００７３】
すると、図１１の（ｄ）に示すように、白枠１０３ａの下端の辺を上下方向に調整するための画面が表示画面１０１ａに表示される。ユーザは、図１１の（ｄ）に示す白枠１０３ａの下端の辺の位置を、スマートフォン２０１の表示画面に表示された上下方向を選択可能なボタンを操作することで、上下方向に移動させる。そして、所望する位置に下端の辺が移動したら、決定ボタンを選択する。
【００７４】
以上の操作により、スマホ画面１０３の白枠１０３ａのサイズが決定される。
【００７５】
なお、各操作において、一度決定をしても、スマートフォン２０１に表示されている戻るボタンを操作することで、決定前の操作状態に戻すことが可能となる。
【００７６】
また、各操作において、ユーザの操作性を向上させるために、操作ガイダンスを表示画面１０１ａに表示してもよい。操作ガイダンスの表示内容は、「上下左右：切り出し調整  決定：次へ  戻る：前へ」とする。
【００７７】
以上のように、本実施形態１，２では、外部機器としてスマートフォン、表示装置としてテレビ受像機を例に説明したが、これらに限定されるものではなく、外部機器としては、映像表示機能を有する情報端末であれば、携帯電話機やノートパソコンなどの電子機器であってもよく、また、表示装置としては２画面表示機能を有していればよく、テレビチューナーを備えないモニタであってもよい。
【００７８】
また、各実施形態では、テレビ画面１０２に表示される映像はテレビ映像を想定し、横長の映像を想定して説明したが、本発明は、これに限定されるものではなく、テレビ画面１０２に表示される映像は縦長であってもよい。
【００７９】
〔ソフトウェアによる実現例〕
テレビ受像機１０１の制御ブロック（特に２画面コントロール部１１２）は、集積回路（ＩＣチップ）等に形成された論理回路（ハードウェア）によって実現してもよいし、ＣＰＵ（Central Processing Unit）を用いてソフトウェアによって実現してもよい。
【００８０】
後者の場合、２画面コントロール部１１２は、各機能を実現するソフトウェアであるプログラム（表示制御プログラム）の命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８１】
〔まとめ〕
本発明の態様１に係る表示装置は、第１の映像信号から作成された第１映像を表示した第１表示画面と、外部機器から取得した第２の映像信号から作成された第２映像を表示した第２表示画面との２画面表示を行う表示装置において、上記外部機器で上記第２映像が表示されている表示画面の配置方向毎に、上記２画面表示時の上記第１表示画面と上記第２表示画面との配置関係を示す画面配置情報があらかじめ設定され、上記画面配置情報に応じて、上記第１表示画面と上記第２表示画面とを配置して上記２画面表示を行うための２画面表示信号を生成する２画面表示信号生成部と、上記外部機器で上記第２映像が表示されている表示画面の配置方向を取得する配置方向取得部とを備え、上記２画面表示信号生成部は、上記配置方向取得部によって取得された配置方向に対応付けられた上記画面配置情報に応じて、上記第１表示画面と第２表示画面とを配置して２画面表示信号を生成することを特徴としている。
【００８２】
上記構成によれば、外部機器で表示されている第２映像の表示画面の配置方向に対応付けられた画面配置情報に応じて、第１表示画面と第２表示画面とを配置した２画面表示信号を生成することで、外部機器で表示されている第２映像の表示画面の配置方向を変えるだけで、第１表示画面と第２表示画面との配置関係を容易に変えることができる。
【００８３】
これにより、従来のように、外部機器自体の向きを変えても、第１表示画面と第２表示画面との画面配置関係が変わらないことに起因する問題、すなわち２画面表示時の視認性や操作性が低下するという事態を回避することができる。
【００８４】
従って、２画面表示における視認性や操作性を向上させることができる表示装置を提供できるという効果を奏する。
【００８５】
本発明の態様２に係る表示装置は、上記態様１において、上記画面配置情報は、上記第２映像が上記外部機器において縦長画面で表示されている場合の上記第２表示画面を縦の配置方向とし、上記第２映像が上記外部機器において横長画面で表示されている場合の上記第２表示画面を横の配置方向とするように設定されていることが好ましい。
【００８６】
上記構成によれば、画面配置情報は、上記第２映像が上記外部機器において縦長画面で表示されている場合の上記第２表示画面を縦の配置方向とし、上記第２映像が上記外部機器において横長画面で表示されている場合の上記第２表示画面を横の配置方向とするように設定されていることで、２画面表示時には、外部機器で表示されている第２映像の表示画面の配置方向に合わせて、第２映像が第２表示画面に表示されるため、２画面表示における視認性が向上する。
【００８７】
本発明の態様３に係る表示装置は、上記態様２において、上記画面配置情報は、少なくとも、上記配置方向が縦の配置方向である場合、外部機器の映像を表示する第２表示画面を、第１表示画面の左右何れかに並べて配置する第１配置情報、上記配置方向が横の配置方向である場合、外部機器の映像を表示する第２表示画面を、第１表示画面に並べて、且つ当該第１表示画面よりも大きくなるように配置する第２配置情報を含み、上記２画面表示信号生成部は、上記配置方向判定部によって判定された配置方向に応じて、上記第１配置情報または第２配置情報に応じて、上記第１表示画面と第２表示画面とを配置した２画面表示信号を生成することを特徴としている。
【００８８】
上記構成によれば、外部機器で表示されている第２映像の表示画面の配置方向が縦の配置方向である場合、外部機器の映像を表示する第２表示画面を、第１表示画面の左右何れかに並べて配置した２画面表示とすることで、第１表示画面と第２表示画面の両表示画面の視認性を確保することができる。また、上記配置方向が横の配置方向である場合、外部機器の映像を表示する第２表示画面を、第１表示画面に並べて、且つ当該第１表示画面よりも大きくなるように配置した２画面表示とすることで、第２表示画面の視認性を、第１表示画面の視認性よりもよくすることができる。
【００８９】
本発明の態様４に係る表示装置は、上記態様３において、上記第１配置情報に応じて配置される第２表示画面は、外部機器で表示されている第２映像の表示画面の解像度に応じて、表示位置及びサイズが設定されていることを特徴としている。
【００９０】
上記構成によれば、外部機器の映像を表示する第２表示画面を、第１表示画面の左右何れかに並べて配置するとき、上記第２表示画面は、外部機器で表示されている第２の映像信号の表示画面の解像度に応じて、表示位置及びサイズが設定されていることで、外部機器で表示されている第２の映像信号の表示画面と、第２表示画面との視認性を近づけることができる。これにより、外部機器を操作しているユーザは、違和感なく、第２表示画面に表示されている第２の映像信号を視認することができるため、ユーザの操作性を向上させることができる。
【００９１】
本発明の態様５に係る表示制御システムは、上記態様１〜４に何れかの表示装置と、上記表示装置に対して、第２映像の表示中の表示画面の配置方向を示す表示配置情報を送信する外部機器とを備えている。
【００９２】
本発明の各態様に係る表示装置は、コンピュータによって実現してもよく、この場合には、コンピュータを上記表示装置が備える各部として動作させることにより上記表示装置をコンピュータにて実現させる表示装置の表示制御プログラム、およびそれを記録したコンピュータ読み取り可能な記録媒体も、本発明の範疇に入る。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９４】
本発明は、２画面表示機能を有し、少なくとも一方の画面に表示する映像の映像ソースが外部機器から取得する映像ソースである電子機器であれば好適に利用することができる。
【符号の説明】
【００９５】
１０１  テレビ受像機（表示装置）
１０１ａ  表示画面
１０２  テレビ画面（第１表示画面）
１０３  スマホ画面（第２表示画面）
１０３ａ  白枠
１０４  切換メニュー画面
１０５  切り出し用メニュー
１１１  ディスプレイ信号取得部
１１２  ２画面コントロール部
１１３  ディスプレイ
１１４  Ｗｉ−Ｆｉ受信部
１２１  端末表示配置情報取得部（配置方向取得部）
１２２  端末表示配置状態判定部（配置方向取得部）
１２３  ２画面生成処理部（２画面表示信号生成部）
２０１  スマートフォン（外部機器）
２１１  コンテンツ取得部
２１２  端末表示配置情報取得部
２１３  端末映像信号生成部
２１４  Ｗｉ−Ｆｉ送信部
【図１】
2014215318.tif 000003
【図２】
2014215318.tif 000004
【図３】
2014215318.tif 000005
【図４】
2014215318.tif 000006
【図５】
2014215318.tif 000007
【図６】
2014215318.tif 000008
【図７】
2014215318.tif 000009
【図８】
2014215318.tif 000010
【図９】
2014215318.tif 000011
【図１０】
2014215318.tif 000012
【図１１】
2014215318.tif 000013
【図１２】
2014215318.tif 000014